(57)【要約】【課題】既存の氷雪製造業者と共存を図り、省資源、省エネルギーの飲料冷却システムを提供する。【解決手段】W．カレン博士考案の「液体を蒸発させて冷気を造り出した世界最初の冷凍機」と平井昇一氏考案の蒸発冷却実験装置を応用、改良し既存の氷雪製業者と共存し、省資源、省エネルギーの飲料他冷却装置と前記装置の冷凍装置を提供する。【選択図】図１
2014134317.tif 000002
【特許請求の範囲】
【請求項１】
容器と、所定量の液体の水と、外部の真空ポンプで構成され、前記容器は一つの閉じた空間をもつことが可能であることと、前記容器は大気圧に耐えられることと、前記容器は内外から水と空気を透過させないことと、前記容器は純容器部と導管部と開口１と開口２をもつことと、前記純容器部と前記導管部は前記開口１で接続されることと、前記純容器部は前記所定量の液体の水を容れる空間をもつことと、前記純容器部は前記所定量の液体の水が液体から固体になる時膨張する空間をもつことと、前記純容器部は前記所定量の液体の水が減圧沸騰する際、前記所定量の液体の水まで真空引きしないための余裕空間をもつことと、前記純容器部は前記所定量の液体の水が固体となる際の圧力をかわす形状であるとと、前記導管部は前記純容器部の空間を干渉しないことと、前記導管部に開閉弁を設けることと、前記導管部外部端に前記開口２をもつことと、前記開閉弁を全開にし、前記開口２より前記所定量の液体の水を前記純容器部に容れることと、前記開口２は前記外部の真空ポンプと接続が可能であることと、前記開口２より前記外部の真空ポンプにより真空引きを行うことと、前記所定量の液体の水を減圧沸騰させ気化させることにより前記所定量の液体の水から気化熱を奪い固体にすることと、前記所定量の液体の水が固体になった後、前記開閉弁を全閉にし前記外部の真空ポンプを取り外し前記容器をグラスに容れた飲料に投入し飲料を冷却したり、前記容器を発熱患者にあてたりして冷却することを特徴とする飲料他冷却装置
【請求項２】
シリンダーと、ピストンと、前記請求項１との接続部と、前記請求項１の装置と、前記請求項１の姿勢保持および断熱を行う台で構成され、さらに前記請求項１との接続部は、吸気口と、導管と、前記請求項１の装置の開口２に差し込める栓で構成されることと、前記シリンダーの内壁に溝状の欠き込みを設けることと、前記シリンダーの先端に排気用逆止弁を設けることと、前記シリンダーの内壁の溝状の欠き込みの範囲に前記吸気口を設けることと、前記シリンダーの元端と前記シリンダーの先端の間に前記吸気口を設けることと、前記ピストンは前記シリンダーの断面形状と同じ形状のピストンヘッドをもつことと、前記シリンダーの溝状の欠き込みと合致する前記ピストンヘッドの部分を延長させる部材１をもつことと、ピストン軸と、前記部材１を支えるピストン軸の部分をもつことと、ピストン握り手を設けることと、前記部材１の長さは前記シリンダーの先端から前記吸気口までの水平距離より長くすることと、前記シリンダーに前記ピストンを装着した後設ける前記ピストンの抜け止め装置を設けることと、前記ピストンの抜け止め装置はビスにて前記シリンダーに留められることを特徴とする手動真空ポンプ  
【請求項３】
スタンド部と、蓄熱槽部と、容器と、熱源と、外部の真空ポンプと、所定量の液体の水と、前記請求項１の装置で構成され、前記容器は一つの閉じた空間をもつことが可能であることと、前記容器は大気圧に耐えられることと、前記容器は内外から水と空気を透過させないことと、前記容器は純容器部と導管部と開口３と開口４を持つことと、前記純容器部と前記導管部は前記開口３で接続されることと、前記純容器部は所定量の液体の水を容れる空間をもつことと、前記純容器部は前記所定量の液体の水が液体から固体となる時膨張する空間をもつことと、前記純容器部は前記所定量の液体の水が液体から固体になる時膨張する圧力をかわす形状であることと、前記導管部は前記純容器部の空間を干渉しないことと、前記導管部に開閉弁と排気用逆止弁を設けることと、前記導管部にふたを設けることと、前記ふたはふた開口と、ふた本体と、前記ふた本体に雌ねじを設けることと、前記導管部端部に雄ねじを設けることと、チューブ状のガスケットと、前記チューブ状のガスケットにエア抜き穴を設けることと、ガスケット受け台で構成されることと、前記導管部外部端に前記開口４をもつことと、前記開口４は前記請求項１の装置と接続できることと、前記ふたを開け前記ふた開口から前記所定量の液体の水を前記純容器部に容れ、前記ふたを閉じ、請求項３の装置の開閉弁を全閉にし、前記排気用逆止弁と前記外部の真空ポンプを接続し、前記排気用逆止弁より外部の真空ポンプにより真空引きを行い、前記所定量の液体の水が減圧沸騰したら真空引きを終了することと、前記蓄熱槽部に前記熱源を容れ前記純容器部を冷却し、前記所定量の液体の水を固体にすることと、前記請求項１の装置の開閉弁を全開にし前記開口２より前記請求項１の装置の所定量の液体の水を前記請求項１の装置の純容器部に容れ、前記開口２と前記外部の真空ポンプを接続し、前記外部の真空ポンプにて前記請求項１の装置の所定量の液体の水が減圧沸騰するまで真空引きを行った後、前記請求項１の装置の開閉弁を全閉にし、前記開口２と前記外部のポンプの接続を解除し、前記開口２と前記開口４を接続することと、前記請求項１の装置の開閉弁と前記請求項３の装置の開閉弁を共に全開にすることにより前記請求項１の装置の容器と前記請求項３の装置の容器が同一容器となることにより前記請求項１の所定量の液体の水も固体となることと、その後前記請求項１の装置の開閉弁と前記請求項３の装置の開閉弁を共に全閉とし前記請求項１の装置と前記請求項３の装置の接続を解除することと、前記請求項１の装置を前記請求項１の目的と同様に利用することを特徴とする前記請求項１の装置の冷凍装置
【請求項４】
前記請求項３の装置において、請求項１の装置の開閉弁と請求項３の装置の開閉弁の間の空気が請求項１の装置の容器と請求項３の装置の容器に侵入することを防ぐため、前記請求項３の装置の容器側に前記請求項１の装置の開閉弁と前記請求項３の装置の開閉弁の間にもう一つ開閉弁を設けることと、前記外部の真空ポンプとの接続開口を設けることと、前記請求項１の装置の開閉弁と前記請求項３の装置の開閉弁が全閉で、増設した請求項４の装置の開閉弁４０が全開で前記請求項１の装置と前記請求項３の装置を接続したとき、前記外部の真空ポンプを前記請求項４の装置の接続開口と接続し、前記請求項１の装置の開閉弁を全開にし、真空引きを行い、前記請求項１の装置の所定量の液体の水が減圧沸騰することを確認した後真空引きを終了し、その後前記請求項４の装置の開閉弁を全閉にすることと、前記請求項４の装置と前記外部のポンプの接続を解除することを特徴とする前記請求項３の改良
【請求項５】
前記請求項１の装置の前記導管部と前記開閉弁が内部に納まり上部から差し込みが可能である容器であることと、前記開口２に差し込める中栓を設けることと、前記請求項１の装置との接触部において可能な限り飲料の侵入を防ぐため中空で環形のチューブにエア抜き穴を設けたガスケットを設けることを特徴とする前記請求項１の装置の防護装置。
【請求項６】
前記請求項１の装置に前記請求項５の装置を装着し複数で使用する場合、ニ面を吸盤としたことを特徴とする連結装置
【請求項７】
前記請求項１の装置に前記請求項５の装置を装着し単独で、あるいは前記請求項１の装置に前記請求項５の装置を装着し、前記請求項６の装置を用いて連結し複数で、グラスに容れた飲料に投入し、飲料をストローを用いず摂取する際、前記請求項１の装置および前記請求項５の装置の部分と飲料摂取者の口唇が接触することを防止するため、コ字状の部材と、緩衝材と、緩衝材を裏打ちした支圧板と、蝶ねじと、Ｌ型の屈曲可能な板材を設けたことと、前記Ｌ型の屈曲可能な板材に前記請求項５の装置の平面形状より少し大きい開口を設けることを特徴とする前記請求項１の装置と前記請求項５の装置と前記請求項６の装置の姿勢保持装置
【請求項８】
前記請求項１の装置と前記請求項３の装置が空気中の埃や雑菌により不衛生になることを防止するため、上下面と側面４面をパーテェイションでおおうことと、前記請求項１の装置と前記請求項３の装置を操作するため側面の少なくとも１面を開閉可能にしたことと、操作の必要上前記請求項３の装置を平面的に回転する必要があるので、前記請求項３の装置のスタンド部の台底面に３ないし４ヶ所キャスターを設けることを特徴とする前記請求項１の装置と前記請求項３の装置の衛生保持装置
【請求項９】
前記請求項８において、パーテェイションの扉の押棒・引手の形状、大きさ、取付高さを左右異なるようすることで扉の順位を明確にすることを特徴とする幼児のいたずら防止を図る方法
【請求項１０】
前記請求項８において、前記キャスターは車輪と、車軸部と、ストッパー部と、ストッパー操作部から構成され、前記車輪は球体の強磁性の材質であることと、前記車軸部は前記車輪の姿勢を保つため４分の１円の円周を半径廻りに回転してできる立体図形に厚みを与えた立体形状である部材１を設けることと、前記部材１は前記車輪と接する側に頭部が半球状で他は円柱状の部材２を密生させることと、前記部材１に永久磁石1を容れる磁石ケース１を設けることと、全ねじボルトによって前記車輪と前記部材１と前記磁石ケース１を前記請求項３の装置のスタンド部の台底面に接続させることと、前記ストッパー部は、前記車輪と前記部材１と前記磁石ケース１の外側にもうひとつ４分の１円の円周を半径廻りに回転してできる立体図形に厚みを与えた立体形状である部材３を設けることと、前記部材３に磁石ケース２を設けることと、前記全ねじボルトは前記部材３と前記磁石ケース２を貫通し、前記部材３と前記磁石ケース2は上下の移動が可能であることと、前記部材３の底部に摩擦力の大きな材質のブレーキシューを設けることと、前記磁石ケース１と前記磁石ケース２に所定の極すなわち前記磁石ケース１の上面の極と前記磁石ケース２の下面の極が異極となるように永久磁石１と永久磁石２を納めることと、前記ストッパー操作部は前記全ねじボルトにナットを設けることと、前記ナットに操作軸と操作握り手を設けることを特徴とするキャスター
【請求項１１】
前記請求項１０において、前記車輪は必ずしも強磁性の材質でなくてもよいことと、前記部材１にビス座を設けることと、前記部材１にビス穴を設けることと、前記車輪を前記部材１に納めた後、円弧を軸方法に回転させてできる立体図形に厚みを与えた立体形状である部材４を設けることと、前記部材４にビス穴を設けることと、前記部材４を前記部材１にビスで取り付けることと、前記部材４に前記部材２を密生させることと、前記部材１に前記磁石ケース１を設けないことと、前記全ねじボルトによって前記車輪と前記部材１と前記部材４を前記請求項３の装置のスタンド部の台底面に接続させることと、前記ストッパー部は、前記車輪と前記部材１と前記部材４の外側にもう一つ４分の１円の円周を半径廻りに回転してできる立体図形に厚みを与えた立体形状である部材３を設けることと、前記部材３に磁石ケース２を設けないことと、前記部材1と前記部材３の間に前記全ねじボルトが貫通するようにコイルばねを設けることと、前記部材1と前記部材3に前記ばねが脱落しないようにばね外れどめ部材をそれぞれ設けることと、前記部材３にナット受けを設けることと、永久磁石は必要ないことを特徴とするキャスター２                                                      
【請求項１２】
前記請求項４において、前記請求項１の装置と前記請求項４の装置とを接続する際、前記請求項１の装置が落下する危険があるため、それを防止する目的で前記請求項１の装置にフック受けを設け、前記請求項４の装置にフックを設けることを特徴とする安全装置
【請求項１３】
前記請求項３の装置の蓄熱槽において、蓄熱槽容器を透明な材質で作成することと、蓄熱槽容器と蓄熱槽断熱材の間に有機ＥＬライトを仕込み、前記有機ＥＬライトと電源とスイッチと有機ＥＬライトコントローラーを接続し、前記請求項１の装置と前記請求項３の装置をライトアップすることを特徴とする前記請求項１の装置と前記請求項３の装置のライトアップ装置
【請求項１４】
前記請求項１の装置と前記請求項３の装置において熱伝達の性能向上を図るため、前記請求項１の純容器部に容れた液体の水が固体となり前記請求項１の純容器部と接する部分と前記請求項３の純容器部に容れた液体の水が固体となり前記請求項３の純容器部と接する部分を熱伝導率の良い材料すなわちアルミ、ステンレス、銀などの金属材料として作成することと、前記請求項１の装置と前記請求項３の装置の他の容器部分を内部の観察ができるよう透明材料すなわちガラス、プラスティック、ポリエチレンなどで作成することと、前記金属材料に前記透明材料のかかりしろとエッジクリヤランスを満たす欠き込みを設けることと、前記金属材料に前記透明材料のセッティングブロックを設けることと、前記透明材料の押縁を前記金属材料と同材で設けることと、前記セッティングブロックはビス座を兼ねビス穴をもつことと、前記押縁をビスで前記金属材料に留めることと、前記透明材料と前記金属材料と前記押縁の間の隙間をエポキシ樹脂を注入して充填することを特徴とする前記請求項１の装置と前記請求項３の装置の改良
【請求項１５】
前記請求項８において、側面４面のガラスをハーフミラー、底面および天井面のガラスをフルミラーとすることを特徴とする前記請求項８の衛生保持装置
【発明の詳細な説明】
【技術分野】
【０００１】
本発明は、飲料を冷やして飲む場合や医療用氷嚢などの冷却装置とその冷却装置を冷凍する装置に関する。
【背景技術】
【０００２】
従来、飲料を冷やして飲む場合氷を入れて氷から水となる融解熱を利用している。ところが、水が固体から液体に変化することによる水分（液体）により飲料が希釈され、時間がたつにつれ味が変化する。人は飲料を飲み残し、氷の融解熱を十分使うこともなく大半の氷とともに捨ててしまう。多大な電力を使用して製造した物を惜しげもなく捨ててしまうのだ。
【０００３】
また、熱がある時に頭部を冷やす場合氷嚢を使用するが氷がとけても氷を入れ替えるのが面倒で水になってもそのままにしている。これでは治療効果が半減である。
【０００４】
このような問題を解決するために特許文献１〜５のようなものがある。
また、非特許文献１のような商品がある。
【先行技術文献】
【特許文献】
【０００５】
【特許文献１】特開２００８−２３９２４６
【特許文献２】特開２００６−５２００８
【特許文献３】特開２００１−２０８４６５
【特許文献４】特開  平８−６１８１９
【特許文献５】特開  平１０−１５１０５６
【非特許文献】
【０００６】
【非特許文献１】クリスタルアイスボール 考案者、製造者不明  インターネット商品情報による
【非特許文献２】著者  板倉聖宜氏  株式会社仮設社  ２００３．３．１０刊  サイエンスシアターシリーズ  熱をさぐるー温度と原子分子編２
【発明の概要】
【発明が解決しようとする課題】
【０００７】
特許文献１〜５はいずれも特筆すべきものはないが、非特許文献１の"クリスタルアイスボール（商品名）”はなかなかよくできている。
【０００８】
非特許文献１は直径３０ミリの球体のポリエチレン樹脂容器に精製水を入れ、その製品を冷凍庫に入れて凍らせそれを氷と同じように使用するものである。
【０００９】
しかしながら、この製品の使用には電気エネルギーを必要とする冷凍設備が不可欠であり、また、冷凍設備の臭気が製品に移って異味を生じる可能性がある。
【００１０】
また、氷雪製造業者との競合があり、料亭や喫茶店、バーなどでの使用はなかなか難しいと思われる。
【００１１】
それに、これは氷を飲料の入っている容器入れて直接口をつけて飲料を飲む場合、氷が口唇にあたってなかなか邪魔くさい。そのために”ストロー”というものがあるのであろうが、アルコール飲料を飲む際はほとんど使用されていないのが現状である。
【００１２】
非特許文献２において、W．カレン博士という人のエピソードが載っている。これは「液体を蒸発させて冷気を造り出した世界最初の冷凍機」だそうだ。それから、その再現実験として水を丸型フラスコに入れ、真空ポンプを用いて真空引きした実験の絵がある。なお、この場合真空ポンプと丸型フラスコの間に脱水用シリカゲルを入れる必要があるらしい。なぜなら、真空ポンプが水気を嫌うからだそうだ。
【００１３】
また、平井昇一氏考案の蒸発冷却実験装置というものが紹介されており、ガラス管を逆U型にし、両端２ヶ所に水を溜め、他のガラス管内をわずかな水蒸気があるだけの真空にして、１方の端部にある水を冷却し凍らせるともう１方の端部にある水も凍るという興味深い記述があった。
【００１４】
この問題に鑑み、既存の氷雪製造業者と共存を図り、省エネルギー、省資源の飲料他冷却装置と前記装置の冷凍装置を提供する。
【課題を解決するための手段】
【００１５】
まず、本発明は、地球上の一般的大気圧、一般的気温、一般的重力であるという条件でないと成立しない。どこまでが一般的な範囲であるかはそれぞれのケースで計算あるいは実験で検証しなければならない。
【００１６】
請求項１の発明は、前記「クリスタルアイスボール（商品名）」に開閉弁を設け、内部の水や空気を操作できるようにしたもの、あるいは前記W．カレン博士の「液体を蒸発させて冷気を造り出した世界最初の冷凍機」の水と空気を容れた容器に開閉弁を設けることによって持ち運び可能にしたものと解釈できる。
【００１７】
請求項１の発明は、容器と、所定量の液体の水と、外部の真空ポンプで構成され、前記容器は一つの閉じた空間をもつことが可能であることと、前記容器は大気圧に耐えられることと、前記容器は内外から水と空気を透過させないことと、前記容器は純容器部と導管部と開口１と開口２をもつことと、前記純容器部と前記導管部は前記開口１で接続されることと、前記純容器部は前記所定量の液体の水を容れる空間をもつことと、前記純容器部は前記所定量の液体の水が液体から固体になる時膨張する空間をもつことと、前記純容器部は前記所定量の液体の水が減圧沸騰する際、前記所定量の液体の水まで真空引きしないための余裕空間をもつことと、前記純容器部は前記所定量の液体の水が固体となる際の圧力をかわす形状であるとと、前記導管部は前記純容器部の空間を干渉しないことと、前記導管部に開閉弁を設けることと、前記導管部外部端に前記開口２をもつことと、前記開閉弁を全開にし、前記開口２より前記所定量の液体の水を前記純容器部に容れることと、前記開口２は前記外部の真空ポンプと接続が可能であることと、前記開口２より前記外部の真空ポンプにより真空引きを行うことと、前記所定量の液体の水を減圧沸騰させ気化させることにより前記所定量の液体の水から気化熱を奪い固体にすることと、前記所定量の液体の水が固体になった後、前記開閉弁を全閉にし前記外部の真空ポンプを取り外し前記容器をグラスに容れた飲料に投入し飲料を冷却したり、前記容器を発熱患者にあてたりして冷却することを特徴とする。
【００１８】
請求項２の発明は、「行き過ぎピストン」を応用したものである。
【００１９】
請求項２の発明は、シリンダーと、ピストンと、前記請求項１との接続部と、前記請求項１の装置と、前記請求項１の姿勢保持および断熱を行う台で構成され、さらに前記請求項１との接続部は、吸気口と、導管と、前記請求庫１の装置の開口２に差し込める栓で構成されることと、前記シリンダーの内壁に溝状の欠き込みを設けることと、前記シリンダーの先端に排気用逆止弁を設けることと、前記シリンダーの内壁の溝状の欠き込みの範囲に前記吸気口を設けることと、前記シリンダーの元端と前記シリンダーの先端の間に前記吸気口を設けることと、前記ピストンは前記シリンダーの断面形状と同じ形状のピストンヘッドをもつことと、前記シリンダーの溝状の欠き込みと合致する前記ピストンヘッドの部分を延長させる部材１をもつことと、ピストン軸と、前記部材１を支えるピストン軸の部分をもつことと、ピストン握り手を設けることと、前記部材１の長さは前記シリンダーの先端から前記吸気口までの水平距離より長くすることと、前記シリンダーに前記ピストンを装着した後設ける前記ピストンの抜け止め装置を設けることと、前記ピストンの抜け止め装置はビスにて前記シリンダーに留められることを特徴とする。
【００２０】
請求項３の発明は、平井昇一氏考案の蒸発冷却実験装置を応用したものである。つまり、平井氏考案の実験装置の冷却する方の水を容れた端部を請求項３の装置とし、他端を請求項１の装置としたものである。
【００２１】
請求項３の発明は、スタンド部と、蓄熱槽部と、容器と、熱源と、外部の真空ポンプと、所定量の液体の水と、前記請求項１の装置で構成され、前記容器は一つの閉じた空間をもつことが可能であることと、前記容器は大気圧に耐えられることと、前記容器は内外から水と空気を透過させないことと、前記容器は純容器部と導管部と開口３と開口４を持つことと、前記純容器部と前記導管部は前記開口３で接続されることと、前記純容器部は所定量の液体の水を容れる空間をもつことと、前記純容器部は前記所定量の液体の水が液体から固体となる時膨張する空間をもつことと、前記純容器部は前記所定量の液体の水が液体から固体になる時膨張する圧力をかわす形状であることと、前記導管部は前記純容器部の空間を干渉しないことと、前記導管部に開閉弁と排気用逆止弁を設けることと、前記導管部にふたを設けることと、前記ふたはふた開口と、ふた本体と、前記ふた本体に雌ねじを設けることと、前記導管部端部に雄ねじを設けることと、チューブ状のガスケットと、前記チューブ状のガスケットにエア抜き穴を設けることと、ガスケット受け台で構成されることと、前記導管部外部端に前記開口４をもつことと、前記開口４は前記請求項１の装置と接続できることと、前記ふたを開け前記ふた開口から前記所定量の液体の水を前記純容器部に容れ、前記ふたを閉じ、請求項３の装置の開閉弁を全閉にし、前記排気用逆止弁と前記外部の真空ポンプを接続し、前記排気用逆止弁より外部の真空ポンプにより真空引きを行い、前記所定量の液体の水が減圧沸騰したら真空引きを終了することと、前記蓄熱槽部に前記熱源を容れ前記純容器部を冷却し、前記所定量の液体の水を固体にすることと、前記請求項１の装置の開閉弁を全開にし前記開口２より前記請求項１の装置の所定量の液体の水を前記請求項１の装置の純容器部に容れ、前記開口２と前記外部の真空ポンプを接続し、前記外部の真空ポンプにて前記請求項１の装置の所定量の液体の水が減圧沸騰するまで真空引きを行った後、前記請求項１の装置の開閉弁を全閉にし、前記開口２と前記外部の真空ポンプの接続を解除し、前記開口２と前記開口４を接続することと、前記請求項１の装置の開閉弁と前記請求項３の装置の開閉弁を共に全開にすることにより前記請求項１の装置の容器と前記請求項３の装置の容器が同一容器となることにより前記請求項１の所定量の液体の水も固体となることと、その後前記請求項１の装置の開閉弁と前記請求項３の装置の開閉弁を共に全閉とし前記請求項１の装置と前記請求項３の装置の接続を解除することと、前記請求項１の装置を前記請求項１の目的と同様に利用することを特徴とする。
【００２２】
請求項４の発明は、前記請求項３の装置において、請求項１の装置の開閉弁と請求項３の装置の開閉弁の間の空気が請求項１の装置の容器と請求項３の装置の容器に侵入することを防ぐため、前記請求項３の装置の容器側に前記請求項１の装置の開閉弁と前記請求項３の装置の開閉弁の間にもう一つ開閉弁を設けることと、前記外部の真空ポンプとの接続開口を設けることと、前記請求項１の装置の開閉弁と前記請求項３の装置の開閉弁が全閉で、増設した請求項４の装置の開閉弁が全開で前記請求項１の装置と前記請求項３の装置を接続したとき、前記外部の真空ポンプを前記請求項４の装置の接続開口と接続し、前記請求項１の装置の開閉弁を全開にし、真空引きを行い、前記請求項１の装置の所定量の液体の水が減圧沸騰することを確認した後真空引きを終了し、その後前記請求項４の装置の開閉弁を全閉にすることと、前記請求項４の装置と前記外部のポンプの接続を解除することを特徴とする。
【００２３】
請求項５の発明は、前記請求項１の装置の前記導管部と前記開閉弁が内部に納まり上部から差し込みが可能である容器であることと、前記開口２に差し込める中栓を設けることと、前記請求項１の装置との接触部において可能な限り飲料の侵入を防ぐため中空で環形のチューブにエア抜き穴を設けたガスケットを設けることを特徴とする。
【００２４】
請求項６の発明は、前記請求項１の装置に前記請求項５の装置を装着し複数で使用する場合、ニ面を吸盤としたことを特徴とする。
【００２５】
請求項７の発明は、前記請求項１の装置に前記請求項５の装置を装着し単独で、あるいは前記請求項１の装置に前記請求項５の装置を装着し、前記請求項６の装置を用いて連結し複数で、グラスに容れた飲料に投入し飲料をストローを用いずに摂取する際、前記請求項１の装置および前記請求項５の装置の部分と飲料摂取者の口唇が接触することを防止するため、コ字状の部材と、緩衝材と、緩衝材を裏打ちした支圧板と、蝶ねじと、Ｌ型の屈曲可能な板材を設けたことと、前記Ｌ型の屈曲可能な板材に前記請求項５の装置の平面形状より少し大きい開口を設けることを特徴とする。
【００２６】
請求項８の発明は、前記請求項１の装置と前記請求項３の装置が空気中の埃や雑菌により不衛生になることを防止するため、上下面と側面４面をパーテェイションでおおうことと、前記請求項１の装置と前記請求項３の装置を操作するため側面の少なくとも１面を開閉可能にしたことと、操作の必要上前記請求項３の装置を平面的に回転する必要があるので、前記請求項３の装置のスタンド部の台底面に３ないし４ヶ所キャスターを設けることを特徴とする。
【００２７】
請求項９の発明は、前記請求項８において、パーテェイションの扉の押棒・引手の形状、大きさ、取付高さを左右異なるようすることで扉の順位を明確にすることを特徴とする。
【００２８】
請求項１０の発明は、前記請求項８のキャスターを独自に考案した。前記請求項８において、前記キャスターは車輪と、車軸部と、ストッパー部と、ストッパー操作部から構成され、前記車輪は球体の強磁性の材質であることと、前記車軸部は前記車輪の姿勢を保つため４分の１円の円周を半径廻りに回転してできる立体図形に厚みを与えた立体形状である部材１を設けることと、前記部材１は前記車輪と接する側に頭部が半球状で他は円柱状の部材２を密生させることと、前記部材１に永久磁石１を容れる磁石ケース１を設けることと、全ねじボルトによって前記車輪と前記部材１と前記磁石ケース１を前記請求項３の装置のスタンド部の台底面に接続させることと、前記ストッパー部は、前記車輪と前記部材１と前記磁石ケース１の外側にもうひとつ４分の１円の円周を半径廻りに回転してできる立体図形に厚みを与えた立体形状である部材３を設けることと、前記部材３に磁石ケース２を設けることと、前記全ねじボルトは前記部材３と前記磁石ケース２を貫通し、前記部材３と前記磁石ケース2は上下の移動が可能であることと、前記部材３の底部に摩擦力の大きな材質のブレーキシューを設けることと、前記磁石ケース１と前記磁石ケース２に所定の極すなわち前記磁石ケース１の上面の極と前記磁石ケース２の下面の極が異極となるように永久磁石１と永久磁石２を納めることと、前記ストッパー操作部は前記全ねじボルトにナットを設けることと、前記ナットに操作軸と操作握り手を設けることを特徴とする。
【００２９】
前記請求項１０の発明では、永久磁石を使用するため、航空法で危険物とみなされる虞がある。そこで磁力を使用しない、前記請求項１０と同等のキャスターを考案した。
【００３０】
請求項１１の発明は、前記請求項１０において、前記車輪は必ずしも強磁性の材質でなくてもよいことと、前記部材１にビス座を設けることと、前記部材１にビス穴を設けることと、前記車輪を前記部材１に納めた後、円弧を軸方法に回転させてできる立体図形に厚みを与えた立体形状である部材４を設けることと、前記部材４にビス穴を設けることと、前記部材４を前記部材１にビスで取り付けることと、前記部材４に前記部材２を密生させることと、前記磁石ケース１を設けないことと、前記全ねじボルトによって前記車輪と前記部材１と前記部材４を前記請求項３の装置のスタンド部の台底面に接続させることと、前記ストッパー部は、前記車輪と前記部材１と前記部材４の外側にもうひとつ４分の１円の円周を半径廻りに回転してできる立体図形に厚みを与えた立体形状である部材３を設けることと、前記部材３に磁石ケース２を設けないことと、前記部材１と前記部材３の間に前記全ねじボルトが貫通するようにコイルばねを設けることと、前記部材１と前記部材３に前記ばねが脱落しないようにばね外れどめ部材をそれぞれ設けることと、前記部材３にナット受けを設けることと、永久磁石は必要ないことを特徴とする。                                                  
【００３１】
請求項１２の発明は、前記請求項４において、前記請求項１の装置と前記請求項４の装置とを接続する際、前記請求項１の装置が落下する危険があるため、それを防止する目的で前記請求項１の装置にフック受けを設け、前記請求項４の装置にフックを設けることを特徴とする。
【００３２】
請求項１３の発明は、前記請求項３の装置の蓄熱槽において、蓄熱槽容器を透明な材質で作成することと、蓄熱槽容器と蓄熱槽断熱材の間に有機ＥＬライトを仕込み、前記有機ＥＬライトと電源とスイッチと有機ＥＬライトコントローラーを接続し、前記請求項１の装置と前記請求項３の装置をライトアップすることを特徴とする。
【００３３】
請求項１４の発明は、前記請求項１の装置と前記請求項３の装置において熱伝達の性能向上を図るため、前記請求項１の純容器部に容れた液体の水が固体となり前記請求項１の純容器部と接する部分と前記請求項３の純容器部に容れた液体の水が固体となり前記請求項３の純容器部と接する部分を熱伝導率の良い材料すなわちアルミ、ステンレス、銀などの金属材料として作成することと、前記請求項１の装置と前記請求項３の装置の他の容器部分を内部の観察ができるよう透明材料すなわちガラス、プラスティック、ポリエチレンなどで作成することと、前記金属材料に前記透明材料のかかりしろとエッジクリヤランスを満たす欠き込みを設けることと、前記金属材料に前記透明材料のセッティングブロックを設けることと、前記透明材料の押縁を前記金属材料と同材で設けることと、前記セッティングブロックはビス座を兼ねビス穴を設けることと、前記押縁をビスで前記金属材料に留めることと、前記透明材料と前記金属材料と前記押縁の間の隙間をエポキシ樹脂を注入して充填することを特徴とする。
【００３４】
請求項１５の発明は、前記請求項１４の発明が熱割れに弱いという弱点をもつのでそれを低減するための発明である。前記請求項８において、側面４面のガラスをハーフミラー、底面および天井面のガラスをフルミラーとすることを特徴とする。
【発明の効果】
【００３５】
請求項１の発明によれば、地球上の一般的大気圧、一般的気温、一般的重力であるという条件で、請求項１の装置に所定量の液体の水を容れ、外部の真空ポンプにより減圧し、前記所定量の液体の水を気化させることにより、前記所定量の水は固体となる。請求項１の装置の開閉弁を全閉にし、外部の真空ポンプとの接続を解除すれば前記請求項１の装置は持ち運びが可能になり、前記請求項１の装置をグラスに容れた飲料に容れて飲料を冷却したり、発熱患者に前記請求項１の装置をあてて発熱患者を冷却できる。
また、前記請求項１の装置の氷は融けても前記請求項１の装置内にとどまり飲料を希釈しない。
【００３６】
請求項２の発明によれば、前記請求項１の装置を手動で真空引きできる。このことにより、省資源、省エネルギーが実現できる。
【００３７】
請求項３の発明によれば、ふたを開け、ふた開口より、所定量の液体の水を請求項３の装置の純容器部に容れ、前記請求項３の装置の開閉弁を全閉にし、前記請求項１の装置の排気用逆止弁と前記外部の真空ポンプを接続し、前記所定量の液体の水が減圧沸騰するまで真空引きを行い、前記排気用逆止弁と前記外部の真空ポンプの接続を解除し、容器内部の水を蓄熱槽の熱源により氷としておき、前記請求項１の装置の前記所定量の液体の水が減圧沸騰するまで真空引きし、前記請求項１の装置の開閉弁を全閉として請求項１の装置を請求項３の装置に接続し、前記請求項１の装置の開閉弁と前記請求項３の装置の開閉弁を共に全開とすることにより、前記請求項３の装置の容器と前記請求項１の装置の容器が同一容器となるため、前記請求項１の所定量の液体の水も固体となる。前記請求項１の装置の開閉弁と前記請求項３の装置の開閉弁を共に全閉とし、前記請求項１の装置と前記請求項３の装置の接続を解除すれば、請求項１の装置の所定量の液体の水を気化熱を奪って固体となるまで真空引きすることと同じ効果を得られる。また、熱源を氷雪製造業者の製造する氷を利用すれば、共存を図れる。
【００３８】
請求項４の発明によれば、前記請求項３において、前記請求項１の装置と前記請求項３の装置を接続し、前記請求項１の装置の開閉弁と前記請求項３の装置の開閉弁を共に全開とする時、請求項１の開閉弁と請求項３の開閉弁の間の空気が請求項１の装置と請求項３の装置に入り込み、請求項１の装置と請求項３の装置の真空度が低下し、性能低下が予想される。そのため前記請求項３の装置排気用逆止弁を設けここから外部の真空ポンプあるいは前記請求項２の手動真空ポンプにより真空引き可能なように設計してあるのであるが、その手間が頻繁であると煩わしいし、排気用逆止弁の消耗も激しいであろう。本発明により真空引きできる場所が増え、排気用逆止弁の負担が分散される。
【００３９】
請求項５の発明によれば、請求項１の装置の開閉弁と飲料とが接触して不具合を起すことの防止と前記開閉弁の操作部が飲料と接触して不衛生な印象を与えることを防止することと、前記開閉弁を勝手に操作することを防止することができる。
【００４０】
請求項６の発明によれば、請求項１の装置に請求項５の装置を装着し、複数で飲料に入れる際、それらが一団のものとなる。
【００４１】
請求項７の発明によれば、前記請求項１の装置に前記請求項５の装置を装着し単独で、あるいは前記請求項１の装置に前記請求項５の装置を装着しまた前記請求項６の装置にて連結し複数で飲料の入った容器に入れ、ストローを用いず飲料を飲む場合、飲料摂取者の口唇と前記請求項１の装置と前記請求項６の装置が接触しないよう防護ができる。なお、飲料を容れる容器には様々な口径や高さのものがあり、口径は本装置により調節可能であるが、高さは前記請求項７の発明の装置の屈曲可能な板材の高さを飲料摂取者が変化させることによって行う。
【００４２】
請求項８の発明によれば、パーテーション内部を清潔に保つことによって、空気中の塵埃や雑菌により前記請求項１の装置と前記請求項３の装置が汚染されることを防ぐことができる。また、少なくとも１側面からの前記請求項１と前記請求項３の装置の操作となるため、前記請求項３のスタンド部の台底面にキャスターを取り付けることによって、前記請求項１と前記請求項３の装置を回転することができ、少なくとも１面からの操作が可能となる。
【００４３】
請求項９の発明によれば、前記請求項８において、扉の順位の明確化やいたずら防止を図ることができる。
【００４４】
請求項１０の発明によれば、このキャスターは四方八方自由にかつスムースに前記請求項１の装置と前記請求項３の装置を移動させることができる。
【００４５】
前記請求項１０のキャスターは永久磁石を使用しており、航空法により危険物とみなされる虞があったが、請求項１１のキャスター２は永久磁石を使用しておらず、航空法上危険物とはみなされない。
【００４６】
請求項１２の発明によれば、前記請求項１の装置と前記請求項３の装置とを接続する際、前記請求項１の装置が落下する危険があったが、それを防止できる。
【００４７】
請求項１３の発明によれば、前記請求項１の装置と前記請求項３の装置のライトアップが可能になる。なお、副次的に前記請求項３の装置の蓄熱槽に使用する氷が氷雪製造業者が製造した氷か業務用製氷機により製造された氷かを識別できる。氷の透明度が異なるからである。
【００４８】
請求項１４の発明によれば、熱伝達を行う部分を熱伝導率の良い金属材料を用い、他の部分を透明材料を用いることが可能になるため、請求項１の装置と請求項３の装置の性能が向上することと、内部の観察を妨げない。
【００４９】
請求項１５の発明によれば、前記請求項１４の発明が直射日光に弱いという弱点があったが、それを低減できる。また、副次的に無現空間が演出され、美しい。
【図面の簡単な説明】
【００５０】
【図１】請求項１の装置
【図２】様々な形状の純容器部１０１とその特徴と請求項１のブロック図
【図３】請求項２の説明図その１
【図４】請求項２の説明図その２
【図５】請求項２の説明図その３
【図６】請求項３の説明図その１
【図７】請求項３の説明図その２（請求項３のフロー図）
【図８】請求項３の説明図その３
【図９】請求項３の説明図その４
【図１０】請求項３の説明図その５と請求項４の説明図
【図１１】請求項３のブロック図
【図１２】請求項５の説明図その１
【図１３】請求項５の説明図その２
【図１４】請求項６と請求項７の説明図
【図１５】請求項８と請求項９の説明図その１
【図１６】請求項８と請求項９の説明図その２
【図１７】請求項１０の説明図その１
【図１８】請求項１０の説明図その２
【図１９】請求項１１と請求項１２の説明図
【図２０】請求項１３の説明図
【図２１】請求項１４の説明図
【発明を実施するための形態】
【００５１】
まず、冒頭に本発明は、「地球上の一般的大気圧、一般的気温、一般的重力である。」という条件を満たさなければ成立しない。
大気圧が０（Ｐａ）であれば、水は「水の状態図（定性図）」により固体か気体でしか存在できないので本発明は成立しない。
また、気温が異常に低い場合は同様に固体か気体でしか存在できないし、異常に高い温度であればプラズマでしか存在できない。
そうすれば、本発明は成立しない。
つぎに、無重力状態であれば、水は容器内を自由に動くことができるので、本発明は成立しない。
以上、三点のことを言っているのである。
なお、地球上においてもグレーゾーンの条件はかなりある。
例えば、乗り物内部での使用、高所や水中での使用、気温が高くかつ大気圧が低い場所での使用などが考えられる。
これをいちいち検討していては時間がかかりすぎるので、実施にあたっては充分計算や実験を行って安全を確かめてもらいたいために条件として冒頭に記述する。
【００５２】
以下、本発明の請求項１の飲料他冷却装置について図１を用いて説明する。
本発明の実施形態は、容器１０と、所定量の液体の水１３と、外部の真空ポンプ１５で構成され、前記１０は一つの閉じた空間をもつことが可能であることと、前記１０は大気圧に耐えられることと、前記１０は内外から水と空気を透過させないことと、前記１０は純容器部１０１と導管部１０２と開口１１と開口１２をもつことと、前記１０１と前記１０２は前記１１で接続されることと、前記１０１は前記１３を容れる空間をもつことと、前記１０１は前記１３が液体から固体になる時膨張する空間をもつことと、前記１０１は前記１３が減圧沸騰する際、前記１３まで真空引きしないための余裕空間をもつことと、前記１０１は前記１３が固体となる際の圧力をかわす形状であるとと、前記１０２は前記１０１の空間を干渉しないことと、前記１０２に開閉弁１４を設けることと、前記１０２外部端に前記１２をもつことと、前記１４を全開にし、前記１２より前記１３を前記１０１に容れることと、前記１２は前記１５と接続が可能であることと、前記１２より前記１５により真空引きを行うことと、前記１３を減圧沸騰させ気化させることにより前記１３から気化熱を奪い固体にすることと、前記１３が固体になった後、前記１４を全閉にし前記１５を取り外し前記１０をグラスに容れた飲料に投入し飲料を冷却したり、前記１０を発熱患者にあてたりして冷却することを特徴とする飲料他冷却装置
【００５３】
前記１０は前記１４を全閉にすることによってそれ以下の部分は一つの閉じた空間をもつことが可能である。なお、ベクトル０１は重力の向きを示している。
【００５４】
前記１０にかかる最大の圧力はおそらく前記１３が液体から固体となる時の膨張圧力であろうが、本発明ではその膨張圧力は前記１０の形状でかわすこととしている。非特許文献１や非特許文献２でも成功しているので多分大きい問題ではないだろう。次に大きい圧力は真空引きを行った後の大気圧に限りなく近い大気圧未満の圧力である。
【００５５】
前記１０は内外から空気や水を透過させては具合が悪い。ただ、ガラスはヘリウム分子を透過させるそうである。ただし、大気に含まれるヘリウム分子はごくわずかな量であり、本発明では無視して構わないだろう。
【００５６】
前記１０は、球状の純容器部１０１と直管状の導管部１０２と円状の開口１１と円状の開口１２をもっている。
【００５７】
前記１０１と前記１０２は前記１１でつながっている。
【００５８】
前記１０１は前記１３を容れる空間をもっている。開口１１から前記１０１の最下部までの高さをh、前記１３の液面から前記１０１の最下部までの高さをhwとするとh＞hwである。また、hが最大となるのは、開口１１の縁の図形と前記１３の液面の図形が平行となる時である。これは、前記１０を直立させて使用することが望ましいことを意味する。
【００５９】
前記１３は液体から固体となると約１０％ほど膨張する。前記１０１はその膨張空間をもっている。前記１３が液体から固体になった時の氷面から前記１０１の最下部までの高さをhiとすると、h＞hiである。
【００６０】
前記１３は減圧沸騰すると、気泡を出し、前記１３まで飛沫となる。その高さhyは使用する外部の真空ポンプの能力、気温、大気圧、重力の変化によって左右されるであろう。このhyは使用者が内部の観察を行いながら、定める。もし、この空間が過大であれば、できる氷の量が減る。また、過少も液体の水が容器外に排出されるのでできる氷の量が減る。さらに外部の真空ポンプに液体の水が入り外部の真空ポンプが傷むかもしれない。ここは自己責任で量を定めて欲しい。
【００６１】
前記１３が液体から固体になる時膨張する圧力をかわす前記１０１形状について、図２を用いて説明する。
前記１０１の形状としては、図１の他に様々考えられる。
図２−１が図１と同じものである。
図２−２は図１と同容量の前記１０１が立方体の形状のものである。
図２−３は図１と同容量の前記１０１が円柱の形状のものである。
図２−４は図１と同容量の前記１０１が一次関数の回転体の形状のものである。
図２−５は図１と同容量の前記１０１が二次関数の回転体の形状のものである。
この中から、前記１３が液体から固体となる時膨張する圧力をかわす形状の容器を実験によって選別すればよいであろう。
１、固体となった水は加圧されると液体に戻る。
２、液体の水は比重が大きいので固体の水に浮力が加わり上部にせりあがる。
１、２のメカニズムで水が液体から固体となる際の膨張が行われるのであれば、図２−１のように前記１３の上部の空間がだんだんと小さくなる形状は不適なのかもしれない。
ただし、非特許文献２の実験の結果の記述は「液体の水は２６８（Ｋ）の過冷却水になった後、２秒間ほどの短時間で固体となった。」とあり、異なる現象が起きている可能性がある。
実験にて検証するべきであろう。
【００６２】
前記１３の所定量について説明する。
図１および図２に示した図には、前記１０１の全容量の７５％で前記１３の液面を描いてある。
各形状のhw,hi,hyを表２−７に表した。
この７５％という数字は、水が液体から固体になる際の膨張率約１０％はクリヤするが、前記１６が減圧沸騰の際液体の水まで真空引きしないかどうかは外部の真空ポンプの能力、気温、大気圧、重力の変化によって異なるので、使用者が減圧沸騰の状態をよく観察して、液体の水まで真空引きしていないかどうかを確かめてほしい。
なお、図１、図２の前記１０１と、前記１３が減圧沸騰し、固体となって膨張するであろう氷とが接する面積Siを２−７に表した。
表−１の数字が大きいほど熱の授受が行われるので有利な形状であるといえるだろう。
【００６３】
前記１０２は前記１０１の空間を干渉しないとは、前記１０２が前記１１より下にあってはならないことを意味する。
例えば前記１０２がhw以下の場所にあっては真空引きができない。
【００６４】
図１の前記１４には、弁体１４１と、軸受け１４２と、操作軸１４３と、操作握り手１４４を備える。操作のメカニズムは、前記１４４に加えた力は前記１４３に伝わる。しかし、前記１４２により回転以外の運動は拘束されるため、回転力に変換される。その回転力で前記１４１を回転させることによって前記１０２を閉じたり開いたりすることが可能となる。前記１４１は他の種類の弁でも構わないし、弁を操作する方法も他の方法で構わない。操作性、視認性に劣るかもしれないが、操作軸にドライバー錠をつけることも可能である。そうすれば、後述する請求項５の発明が小型化される。
なお、開閉弁の全開、全閉の操作位置は図１に示す位置で統一する。
【００６５】
前記１３は、真空引きにより減圧沸騰で気体となり、外部に排出されるので定期的に補給されなければならない。
前記１４は前記１３の補給がしやすいことも条件となるようである。
【００６６】
前記１０２外部端に開口１２を設けて、外部の真空ポンプ１５との接続が可能としてある。
【００６７】
外部の真空ポンプ１５については、この程度の少量の真空引きなので、接続が可能であることが満たされればなんでもよいであろう。
【００６８】
操作方法について説明する。
気温は２９３（Ｋ）、前記１３の水温は２９３（Ｋ）と仮定する。
前記１４を全開にし、前記１２より前記１３を前記１０１に容れる。
前記１２に前記１５を接続し、真空引きを行う。
そうすると、前記１０内の圧力が０．００２（ＭＰａ)（５０分の１気圧）になると、前記１３の沸点が２９３（Ｋ）となるので気温と水温により減圧沸騰する。ちなみに０．００４（ＭＰａ）（２５分の１気圧）になると、前記１３の沸点は３０３（Ｋ）、０．００１（ＭＰａ）（１００分の１気圧）で前記１３の沸点は２８３（Ｋ）となる。
前記１０１の全容量が１４．１（ｍｌ）で前記１３の所定量をその７５％と仮定すると、前記１３の容量は約１０．６（ｍｌ）となる。
前記１３は約０．４７（ｇ）を気化させることによってその気化熱で２７３（Ｋ）となり残りの前記１３を冷凍し、約１０．１（ｇ）の氷ができる。
前記１３が液体から固体となるため、約１割膨張し、前記hiは前記hwより上昇する。
この時点で、前記１４を全閉にする。
前記１５との接続を解除する。
前記１０をグラスに入った飲料に投入して、前記飲料を冷却したり、前記１０を発熱患者にあてて前記患者を冷却したりすることが可能になる。
【００６９】
図１−２に請求項１のフロー図、図２−７に前記１０のブロック図を示した。
【００７０】
以下、本発明の請求項２の手動真空ポンプについて図３、図４、図５を用いて説明する。
本実施形態の手動真空ポンプ２０は図３−１に示すように、シリンダー２１と、ピストン２８と、前記請求項１との接続部２４と、前記１０と、前記請求項１の姿勢保持および断熱を行う台２５で構成され、さらに前記２４は、吸気口２４１と、導管２４２と、前記１２に差し込める栓２４３で構成されることと、前記２１の内壁に溝状の欠き込み２２を設けることと、前記２１の先端に排気用逆止弁２３を設けることと、前記２２の範囲に前記２４１を設けることと、前記２１の元端と前記２１の先端の間に前記２４１を設けることと、前記２８は前記２１の断面形状と同じ形状のピストンヘッド２６をもつことと、前記２２と合致する前記２６の部分を延長させる部材２７をもつことと、ピストン軸２８１と、前記２７を支えるピストン軸の部分２８２をもつことと、ピストン握り手２９を設けることと、前記２７の長さＬ２は前記２１の先端から前記２４１までの水平距離Ｌ１より長くすることと、前記２１に前記２８を装着した後設ける前記２８の抜け止め装置２９１を設けることと、前記２９１はビス２９２にて前記２１に留められることを特徴とする手動真空ポンプ
【００７１】
前記２１について図３−２を用いて述べる。
前記２１は、前記２１の内壁に溝状の欠き込み２２と、前記２１の先端に設けた排気用逆止弁２３と、前記２２の範囲に設けた吸気口２４１と、前記２１の先端と元端の中間に前記２４１を設けることにより構成される。
【００７２】
さらに、図４−１のように前記２３は、弁体２３１と、弁軸２３２と、コイルばね２３３と、逆止弁躯体２３４と、前記２３４に前記２３２が移動可能なように開口２３５を開けることにより構成される。
【００７３】
前記２４は図４−２に示すように、前記２４１と、導管２４２と、前記開口１２に差し込める伸縮性あるふた２４３で構成され、前記２４３を前記１２に差し込むことにより、前記１０と接続される。
【００７４】
前記２５を図３−２を用いて説明する。
前記１０は、前記２０を用いて真空引きする際、不安定では真空引きがしにくい。よって前記２５は直方体の形状で、中心に前記１０の半径と同じ大きさの半球状のくりぬきが設けられている。そこに前記１０をあてはめることにより、前記１０の姿勢が安定する。
また、前記１３は、前記２０による真空引きで減圧沸騰し、次第に冷たくなってくる。外部の空気より熱を取り込まないように前記２５は断熱材で作る必要がある。
【００７５】
つぎに、前記２８について図５−１を用いて説明する。
前記２８は、ピストンヘッド２６と、前記２２の断面形状にあわせた前記２６の部分を延長する部材２７と、ピストン軸２８１と、前記２７を支える前記２８１の部分２８２と、操作握り手２９により構成される。
【００７６】
また、前記２７の長さＬ２は、前記２２の先端から前記２４１までの長さＬ１より大きくすることが特徴である。
【００７７】
前記２９１について、図５−２を用いてさらに説明する。
前記２９１は前記２１に前記２８を装着後前記２９１を前記２１にビス２９２を用いて留める。
このことにより、前記２８が前記２１より外れることが防止できる。
【００７８】
前記２０で前記１０の装置を真空引きした場合の効果について検討する。
まず、前記１３を１０．６（ｇ）の液体の水、前記１３の水温は２９３（Ｋ）、気温は２９３（Ｋ）と仮定し、それを０．００２（ＭＰａ）にし、０．４７（ｇ）の水を気化させないと約１０．１（ｇ）の固体の水とはならないことは先に述べた。まず、前記１０内の０．１（ＭＰａ)の空気の量は、３．５（ｍｌ）であるから、０．００２（ＭＰａ)にするためには１７５（ｍｌ）真空引きする必要がある。また、０．４７（ｇ）の液体の水は気体になると、１２４０倍となるため、５８２．８（ｍｌ）さらに０．００２（ＭＰａ）までもっていかなければならないために、２９，１４０（ｍｌ）の真空引きを行う必要がある。合計で２９，３１５（ｍｌ）となる。
前記２９１の前記２６の断面積を１９．６平方センチメートル、Ｌ１を２５．５センチとすると、１回の真空引きできる量は５００（ｍｌ）となるので、約５９回押し引きして真空引きを行えばよいことになる。また、その時の前記２９に加える力は摩擦力を無視すると、１９２（Ｎ）となる。
ちなみに、水温と気温が共に３０３（Ｋ）の場合、４２回押し引きして真空引きを行い９．９（ｇ）の氷ができ、水温と気温が２８３（Ｋ）の場合、７０回押し引きして真空引きを行い１０．３（ｇ）の氷ができる。
気温が味方してエネルギーを与えてくれるので、人が与えるエネルギーは気温が高ければ少なくてすむ。
気温が２８３（Ｋ）以下の場合おそらく本発明は使用されることはない。
もし、前記２９に加える力を軽減させたければ、前記２１、前記２６の断面積、およびＬ１で調整すればよいであろう。
また、先程摩擦力は無視したが、摩擦力を軽減するために前記２２の幅を極力小さくすることも重要であろう。
これくらいの努力怠るようであれば、冷たい飲料を飲む資格はない。
金を払ってジムに通い、ウエイトトレーニングと称してこの程度の運動を行っている人だって存在するのだ。
我々がいかにエネルギーの無駄な消費を行っているかがよくわかる。
【００７９】
以下、本発明の請求項３の前記１０の冷凍装置３０について図６を用いて説明する。
前記３０は、スタンド部３１と、蓄熱槽部３２と、容器３３と、熱源３２３と、外部の真空ポンプ１５と、所定量の液体の水３３３と、前記１０で構成され、前記３３は一つの閉じた空間をもつことが可能であることと、前記３３は大気圧に耐えられることと、前記３３は内外から水と空気を透過させないことと、前記３３は純容器部３３１と導管部３３２と開口３４と開口３７５を持つことと、前記３３１と前記３３２は前記３４で接続されることと、前記３３１は前記３３３を容れる空間をもつことと、前記３３１は前記３３３が液体から固体となる時膨張する空間をもつことと、前記３３１は前記３３３が液体から固体になる時膨張する圧力をかわす形状であることと、前記３３２は前記３３１の空間を干渉しないことと、前記３３２に開閉弁３７と排気用逆止弁３５を設けることと、前記３３２にふた３６を設けることと、前記３６はふた開口３６０と、ふた本体３６１と、前記３６１に雌ねじ３６２を設けることと、前記３３２端部に雄ねじ３６３を設けることと、チューブ状のガスケット３６４と、前記チューブ状のガスケットにエア抜き穴３６６を設けることと、ガスケット受け台３６５で構成されることと、前記３３２外部端に前記３７５をもつことと、前記３７５は前記１０と接続できることと、前記３６を開け前記３６０から前記３３３を前記３３１に容れ、前記３６を閉じ、前記３７を全閉にし、前記３５と前記１５を接続し、前記３５より前記１５により真空引きを行い、前記３３３が減圧沸騰したら真空引きを終了することと、前記３２に前記３２３を容れ前記３３１を冷却し前記３３３を固体にすることと、前記１４を全開にし前記１２より前記１３を前記１０１に容れ、前記１２と前記１５を接続し、前記１５にて前記１３が減圧沸騰するまで真空引きを行った後、前記１４を全閉にし、前記１２と前記１５の接続を解除し、前記１２と前記３７５を接続することと、前記１４と前記３７を共に全開にすることにより前記１０と前記３３が同一容器となることにより前記１３も固体となることと、その後前記１４と前記３７を共に全閉とし前記１０と前記３０の接続を解除することと、前記１０を前記請求項１の目的と同様に利用することを特徴とする前記請求項１の装置の冷凍装置
【００８０】
所定量の液体の水の所定量は前記請求項１の所定量の決め方と同じである。
使用者が減圧沸騰の状態を観察して定めてほしい。
なお、請求項３では、減圧沸騰が確認されたら真空引きを終了することを特徴としているので、減圧沸騰の飛沫まで真空引きを行うことはないであろう。
【００８１】
請求項１の発明を請求項２の発明で実施した場合、水が液体から気体となる際、１２４０倍も膨張するのでそれを真空引きすればかなりの労力がかかることが解った。そこで、この所定量の液体の水を固体にすることを熱源に行わせ、人の労力を省くことと、熱源に氷雪製造業者の製造する氷を使用することで氷雪製造業者と共存を図ることを企図とした。
【００８２】
前記３０は、不安定で自立することが困難である。そこで、前記３１が必ず必要となる。
前記３１は、図８−1に示すように、台３１１と、支柱３１２と、柱梁取合い金物３１３と、梁材３１４と、掴み金物３１５で構成される。
もし、これを設置してもまだ不安定であれば、適宜前記３１３と前記３１４と前記３１５を増設して安定させる。
【００８３】
蓄熱槽３２は、図８−２のように、容器３２１と断熱材３２２と熱源３２３により構成される。
なお、前記３２３は、氷雪製造業者が製造した透明な氷と水と寒剤で考えている。
【００８４】
前記３５は、図８−３に示すように、弁体３５１と、弁軸３５２と、コイルばね３５３と、弁軸受け３５４と、弁軸が移動可能になるための開口３５５と、弁受け３５６と、接続開口３５７で構成される。普段は大気圧と前記３５３の力で前記３５１と前記３５６の間は閉じているが、前記３５７の廻りの圧力がある一定以上の負圧となれば前記３５１と前記３５６の間が開き前記３３内部より空気が排出される。
【００８５】
前記３６は、図９−１、図９−２に示すように、球状のふた３６１と、ふた開口３６０と、前記３６１に設ける雌ねじ３６２と、前記３３２と、前記３３２に設ける雄ねじ３６３とガスケット３６４と、前記３６４に設けるエア抜き穴３６６と、ガスケット受け台３６５で構成される。
【００８６】
前記３６４は、前記３６１装着前は図９−３に示すような形状であるが、前記３６１装着後は、前記３６４が前記３６１により押しつぶされ内部の空気が前記３６６を通して外部に流出し、図９−４に示すような形状となる。
このことにより、前記３６１の装着が不完全な場合、前記３６６を通して再び空気が前記３６４の内部に流入することによって前記３６４の形状が変化することによって知らせてくれる。
【００８７】
前記３７は図１０−１に示すように、弁体３７１と、軸受け３７２と、操作軸３７３と、操作握り手３７４と、前記１０との接続開口３７５とで構成される。
【００８８】
前記１５については、前記２０を用いてもよいが、計算によると外気温２９３（Ｋ）で２９０回押し引きしなければ、０．００２（ＭＰａ）に到達しない。ここは、電動他の真空ポンプに頼らざる得ないかもしれない。
【００８９】
操作方法について説明する。
前記３３１に前記３６１を開け前記３６０より、前記３３３をいれ、前記３６１を装着し、前記３７を全閉とする。
つぎに、前記３５と前記１５を接続し、前記３５より前記１５を使用して真空引きを行う。
前記３３３の沸点は、０．００４（ＭＰａ)で３０３（Ｋ）、０．００２（ＭＰａ)で２９３（Ｋ）、０．００１（ＭＰａ)で２８３（Ｋ）となるので、気温と水温により異なるが減圧沸騰する。
この時点で前記３５よりの前記１５による真空引きを終了する。
つぎに、前記３２に前記３２３を容れ前記３３１を冷却することにより、前記３３３を液体から固体にする。
一方、前記１０の方も前記１４を全開にし、前記１２より、前記１３をいれ、前記１２と前記１５を接続し、使用して真空引きを行い、前記１３が減圧沸騰すれば真空引きを終了し、前記１４を全閉にし、前記１２と前記１５の接続を解除する。
前記３７５と前記１２を接続する。
前記１４と前記３７を全開にする。
前記１０と前記３３は一つの閉じた容器となり、圧力を一定にしようとする作用が働く。
前記１３は冷凍され、固体となる。
前記１４と前記３７を全閉とする。
前記１０と前記３３の接続を解除する。
その後、前記１０を前記請求項１の目的に利用する。
【００９０】
図７に請求項３のフロー図、図１１に請求項３のブロック図を示す。
【００９１】
以下、本発明請求項４について図１０−２を用いて説明する。
本発明実施形態である４０は、前記３３において、前記１４と前記３７の間の空気が前記１０と前記３３に侵入することを防ぐため、前記３３側に前記１４と前記３７の間にもう一つ開閉弁４０を設けることと、前記１５との接続開口４０５を設けることと、前記１４と前記３７の装置の開閉弁が全閉で、増設した前記４０が全開で前記１０と前記３３を接続したとき、前記１５を前記４０５と接続し、前記１４を全開にし、真空引きを行い、前記１３が減圧沸騰することを確認した後真空引きを終了し、その後４０を全閉にすることと、前記１５と前記４０５の接続を解除することを特徴とする前記請求項３の改良
【００９２】
以下、本発明請求項５について図１２−１、図１２−２を用いて説明する。
本発明実施形態である前記１０の防護装置５０は図１２−１のように、前記１０２と前記１４が内部に納まり上部から差し込みが可能である容器５１であることと、前記１２に差し込める中栓５２を設けることと、前記１０１との接触部において可能な限り飲料の侵入を防ぐため中空で環形のチューブ５３１にエア抜き穴５３２を設けたガスケット５３を設けることを特徴とする前記１０の防護装置。
【００９３】
さらに、前記５３は図１２−２、図１３に示すように、中空で環形のチューブ５３１と、前記５０の内側側にエア抜き穴５３２から構成され、前記５０装着前は図１３−１のように環形をしているが、装着後は前記５０を上部から押しつける力で前記５３１内の空気が前記５３２を通して前記５０内に流れ込み前記５０の内圧を高め、図１３−２のような形状となる。この内圧を高めることと、変形した前記５３１の形状にて飲料の浸透圧に抗することを目的とする。ただし、浸透圧は完全には防ぎきれないと予想されるので「可能な限り」の文言をいれることにする。
【００９４】
以下、本発明請求項６について図１４−１を用いて説明する。
本発明実施形態である請求項５の連結装置６０は図１４−１のように、前記１０に前記５０を装着し、複数で使用する場合に、ニ面を吸盤としたことを特徴とする連結装置６０で連結することを特徴とする。
【００９５】
飲料に直接接するのであるから、前記６０の材料は、哺乳瓶の乳首にも使用されるシリコンゴムなどがよいかもしれない。
【００９６】
以下、本発明請求項７について図１４−２を用いて説明する。
本発明実施形態である請求項７の姿勢保持装置７０は、前記１０に前記５０を装着し単独で、あるいは前記１０に前記５０を装着し、前記６０を用いて連結し複数で、グラスに容れた飲料に投入し飲料をストローを用いず摂取する際、前記１０および前記５０の部分と飲料摂取者の口唇が接触することを防止するため、コ字状の部材７１と、緩衝材７２と、緩衝材を裏打ちした支圧板７３と、蝶ねじ７４と、Ｌ型の屈曲可能な板材７５を設けたことと、前記７５に前記５０の平面形状より少し大きい開口を設けることを特徴とする前記請求項１の装置と前記請求項５の装置と前記請求項６の装置の姿勢保持装置
【００９７】
どの程度の屈曲が必要なのか、開ける開口はどの程度大きければよいかは実験にて確かめる必要がある。
【００９８】
以下、本発明請求項８について図１５、図１６を用いて説明する。
本発明実施形態８０は、前記１０と前記３０の装置が空気中の埃や雑菌により不衛生になることを防止するため、上下面と側面４面をパーテェイションでおおうことと、前記１０と前記３０を操作するため側面の少なくとも１面を開閉可能にしたことと、操作の必要上前記３０を平面的に回転する必要があるので、前記３０の前記３７１に３ないし４ヶ所キャスターを設けることを特徴とする前１０と前記３０の衛生保持装置
【００９９】
前記パーテェイションでおおうことは、ガラス枠８１、ガラス８２で構成される。
【０１００】
さらに、少なくとも１面を扉とすることは、押棒・引手９１、外鍵９２、丁番９３で構成される。
【０１０１】
さらに、前記９２は、図１５−２のように、掛け金９２１と、回転を拘束しないピン９２２と、受け金９２３とで構成され、前記９２１と前記９２３相互に欠き込を設け、前記９２１の円状の開口と前記９２３の円状の開口が合致することを特徴とする。合致する円状の開口に南京錠を設けることによりさらにセキュリティーが向上する。
【０１０２】
以下、本発明請求項９について図１６−１、図１６−２を用いて説明する。前記請求項８において、パーテェイションの扉の押棒・引手９１の形状、大きさ、取付高さを左右異なるようすることで扉の順位を明確にすることを特徴とする幼児のいたずら防止を図る方法である。
前記８０は、操作の関係上、大人がしやすいように、前記８０の下部に約９０センチメートルくらい高さの台またはカウンターが必要であろう。
とすると、図１６−１に示される前記９１は高さを変えてある。
右側の低い前記９１は身長が低い幼児でも手が届くが、左側の高い方の前記９１は手が届かない。
さらに、図１６−２に示すように内鍵９４が設けてあるので、これを外さない限り右側の扉は開かないのである。
このことにより、幼児のいたずらが防止できる。
なお、前記９４は、掛け金留め付け部材９４１、掛け金９４３、受け金９４２より構成される。
【０１０３】
現状をみてみると、公共施設の両開きの扉や自由扉は必ずといっていいくらい同じ形状、寸法、高さの押棒・引手が取り付けてある。しかしながら、片側の扉は管理上、あるいは冷暖房の効率上などのもろもろの理由により、施錠されている場合がある。
来館者は、その施錠されたほうの扉の押棒・引手を押し、開かないのであきらめて帰ってしまうことが、おうおうとして起きているのではないだろうか。もし、片側を施錠するのであれば、一目で解るように、デザインを変えるべきである。
【０１０４】
以下、本発明請求項１０について図１７、図１８を用いて説明する。前記請求項８において、前記キャスターは車輪１０１０と、車軸部１０２０と、ストッパー部１０４０と、ストッパー操作部１０６０から構成され、前記１０１０は球体の強磁性の材質であることと、前記１０２０は前記１０１０の姿勢を保つため４分の１円の円周を半径廻りに回転してできる立体図形に厚みを与えた立体形状である部材１０２１を設けることと、前記１０２１は前記１０１０と接する側に頭部が半球状で他は円柱状の部材１０２４を密生させることと、前記１０２１に永久磁石を容れる磁石ケース１０２２を設けることと、全ねじボルト１０２３によって前記１０１０と前記１０２１と前記磁石ケース１０２２を前記３１１に接続させることと、前記１０４０は、前記１０１０と前記１０２１と前記１０２２の外側にもうひとつ４分の１円の円周を半径廻りに回転してできる立体図形に厚みを与えた立体形状である部材１０４２を設けることと、前記１０４２に磁石ケース１０４３を設けることと、前記１０２３は前記１０４２と前記１０４３を貫通し、前記１０４２と前記１０４３は上下の移動が可能であることと、前記１０４２の底部に摩擦力の大きな材質のブレーキシュー１０４１を設けることと、前記１０２２と前記１０４３に所定の極すなわち前記１０２２の上面の極と前記１０４３の下面の極が異極となるように永久磁石１０３０と永久磁石１０５０を納めることと、前記１０６０は前記１０２３にナット１０６１を設けることと、前記１０６１に操作軸１０６２と操作握り手１０６３を設けることを特徴とするキャスター
【０１０５】
本発明の実施形態であるキャスター１０００は図１７−１、図１７−２のように前記請求項３の装置の前記３１の前記３１１の底面に取付けられる。
次に、図１７−２であるが、前記１０１０は強磁性の材質の球である。
車軸部１０２０は、前記１０２１と前記１０２２と前記１０２３と前記１０３０で構成され、前記１０２３によって前記３１１に取り付く。
図１７−３は、前記１０１０を取り外し、前記１０２１を下からみた図である。
前記１０２４を密生させてある。
図１８−１は、前記１０２４の拡大図である。
前記１０１０は、前記１０３０の磁力によって引き寄せられ、前記１０２４によって位置を保つ。
【０１０６】
前記１０４０は図１８−２に示すように、前記１０４１と、躯体１０４２と、前記１０４３と、前記１０５０と、前記１０２３が貫通していることで構成される。
前記１０３０の上面と前記１０５０の下面は異極であるため、反発力が生じ、前記１０４０は上に上がろうとする。
【０１０７】
前記１０６０は図１８−３に示すように、前記１０２３に前記１０６１を設け、前記１０６１に前記１０６２を取付け、さらに前記１０６２に前記１０６３を設けてある。操作方法は前記１０６３を押し引きする力を前記１０６２を通して前記１０６１に伝え、前記１０６１は前記１０２３により拘束されているので伝わった力は回転力となり、前記１０６１は回転することによって、上下に動く。この力が前記１０４０に伝わり、前記１０４０も上下する。
下に動く際、前記１０４１と地面は接触し、摩擦力が働き、前記３１の動きが拘束される。
【０１０８】
以下、本発明請求項１１について図１９−１、図１９−２を用いて説明する。前記請求項１０において、前記１０１０は必ずしも強磁性の材質でなくてもよいことと、前記部材１０２１にビス座１１０１を設けることと、前記部材１１０１にビス穴１１０２を設けることと、前記１０１０を前記１０２１に納めた後、円弧を軸方法に回転させてできる立体図形に厚みを与えた立体形状である部材１１０３を設けることと、前記部材１１０３にビス穴１１０４を設けることと、前記部材１１０３を前記１０２１にビス１１０５で取り付けることと、前記部材１１０３にも前記１０２４を密生させることと、前記１０２１に前記１０４３を設けないことと、前記１０２３によって前記１０１０と前記１０２１と前記１１０３を前記３１１底面に接続させることと、前記１０４０は、前記１０１０と前記１０２１と前記１１０３の外側にもう一つ４分の１円の円周を半径廻りに回転してできる立体図形に厚みを与えた立体形状である部材１０４１を設けることと、前記１０４１に前記１０４３を設けないことと、前記１０２１と前記１０４２の間に前記１０２３が貫通するようにコイルばね１１０７を設けることと、前記１０２１と前記１０４２に前記１１０７が脱落しないようにばね外れどめ部材１１０６と部材１１０８をそれぞれ設けることと、前記１０４２にナット受け１１０９を設けることと、前記１０３０と前記１０５０は必要ないことを特徴とするキャスター２                                                  
【０１０９】
この発明により、磁力を使わないで前記請求項１０と同等の働きができる。
【０１１０】
以下、本発明請求項１２について図１９−３を用いて説明する。本発明実施形態１２００は前記請求項４において、前記１０と前記３７５とを接続する際、前記１０が落下する危険があるため、それを防止する目的で前記１０にフック受け１２０２を設け、前記４０にフック１２０１を設けることを特徴とする安全装置
【０１１１】
図１９−３では、前記１２０１と前記１２０２の大きさを強調して描いているが、前記１２０２は前記５０内部に納まることは言うまでもない。
【０１１２】
以下、本発明請求項１３について図２０を用いて説明する。本発明実施形態１３００は、前記３２において前記３２１を透明な材料で作り、前記３２１と前記３２２の間に有機ＥＬライト部１３０１を仕込み、前記１３０１と電源１３０２とスイッチ１３０３と有機ＥＬライトコントローラー１３０４を接続し、前記１３０１を点灯させ、前記１０と前記３０をライトアップする装置である。
【０１１３】
以下、本発明請求項１４について図２１を用いて説明する。本発明実施形態１４００は、前記１０と３０において熱伝達の性能向上を図るため、前記１３が固体となり前記１０１と接する部分と前記３３３が固体となり前記３３１と接する部分を熱伝導率の良い材料すなわちアルミ、ステンレス、銀などの金属材料１４０１として作成することと、前記１０と前記３０の他の容器部分を内部の観察ができるよう透明材料１４０５すなわちガラス、プラスティック、ポリエチレンなどで作成することと、前記１４０１に前記１４０５のかかりしろ１４０２とエッジクリヤランス１４１０を満たす欠き込みを設けることと、前記１４０１に前記１４０５のセッティングブロック１４０３を設けることと、前記１４０５の押縁１４０６を前記１４０１と同材で設けることと、前記１４０３はビス座を兼ねビス穴１４０４をもつことと、前記１４０６をビス１４０８で前記１４０１に留めることと、前記１４０５と前記１４０１と前記１４０６の間の隙間をエポキシ樹脂１４０９を注入して充填することを特徴とする前記請求項１の装置と前記請求項３の装置の改良
【０１１４】
この納まりは例えば建築の場合は外部に面するガラスの納まりには使用されない。何故なら熱割れの恐れがあるからだ。しかし、本発明は専ら室内で使用され直射日光を浴びて、熱の寒暖差が激しい虞はないであろう。ゆえにこの納まりが使用できる。
【０１１５】
請求項１５の発明について説明する。前記請求項８において、全面をガラス貼としたが、側面４面のガラスをハーフミラー、底面および天井面のガラスをフルミラーとすると前記請求項１４の弱点である直射日光が低減できる。
【０１１６】
以上、本発明の実施形態のうちいくつかを図面に基づいて詳細に説明したが、これらはあくまで例示であり、当業者の知識に基づいて種々の変形、改良を施した他の形態で本発明を実施することが可能である。
【産業上の利用可能性】
【０１１７】
まず第一に記すべきは、この発明の元となった平井昇一氏考案の蒸発冷却実験装置の原理は、現在国難となっている福島第一原発の冷却システムに応用できる可能性があることである。現在報道によれば、福島第一原発の冷却は液体の水を循環させて冷却させているという。その液体の水は燃料棒に直接ふれることにより、放射能に汚染されてしまい、その汚染水は現在の技術では無害化することがかなわず、ただ蓄積されているばかりであるという。前記蒸発冷却実験装置の原理を応用すれば、少なくとも直接燃料棒に触れることはない。ただし、放射線が真空でどのような挙動をとるのかが小生には不明であるし、実験するにもそもそも放射線の取り扱いが禁止されている。是非しかるべき組織にて実験し、実用化してほしいものである。
【０１１８】
小生の私見であるが、放射線が電磁波に似たものであると仮定すれば、電子レンジのマイクロ波を蛍光灯に照射すると放電が行われ蛍光灯が点灯するという知見がある。もしかすると、真空空間は電磁波の導体となるのではないかと思われるのである。つまり、放射線を真空空間に導き入れれば放電を行い、エネルギーを発することにより早く減衰するのではないかと思うのである。
【０１１９】
では本題に移るが、たかが飲料を冷やすのに全く無駄な電力他のエネルギーが消費されていることに本発明を通して気付かされた。
本発明が一般化し、省資源、省エネルギーが実現してほしいものである。
また、派生的に発明された「無車軸キャスター」、「扉の押棒・引手のデザイン」、「異種材料接続方法」にも産業利用が可能ではないかと思われる。
【符号の説明】
【０１２０】
０１：重力のベクトル
１０：請求項１の装置の実施形態
１０１：前記１０の純容器部
１０２：前記１０の導管部
１１：前記１０の開口１
１２：前記１０の開口２
１３：前記１０の所定量の液体の水
１４：前記１０の開閉弁
１４１：前記１４の弁体
１４２：前記１４の軸受け
１４３：前記１４の操作軸
１４４：前記１４の操作握り手
１５：外部の真空ポンプ
h:前記１０１の最下部から前記１１までの高さ
ｈｗ：前記１３の液面の前記１０１最下部からの高さ
hi：前記１３が固体となった場合の氷面の前記１０１最下部からの高さ
hy:前記１３が減圧沸騰する際、前記１３まで真空引きしないための余裕高さ
Ｓｉ：前記１３が固体となった場合の前記１０１と接する部分の表面積
【０１２１】
２０：請求項２の装置の実施形態
２１：前記２０のシリンダー
２２：前記２１内壁に設けた溝状の欠き込み
２３：前記２１先端に設ける排気用逆止弁
２４：前記１０との接続部
２４１：前記２４の前記２２側の吸気口
２５：前記２０使用時の前記１０の姿勢安定および断熱を行う台
２６：前記２０のピストンヘッド
２７：前記２２と合致する前記２６の部分の延長：部材１
２８：前記２０のピストン軸部
２８１：前記２８の純ピストン軸
２８２：前記２８の前記２７を支える部分
２９：ピストン操作握り手
Ｌ１：前記２１先端部から前記２４１までの水平距離
Ｌ２：前記２７の長さ
２３１：前記２３の弁体
２３２：前記２３の軸
２３３：コイルばね
２３４：前記２３の躯体
２３５：前記２３２が移動可能にする開口
２４２：前記２４の導管
２４３：前記２４の栓
２９１：ピストンの外れ止め装置
２９２：ビス
【０１２２】
３０：請求項３の装置の実施形態
３１：前記３０のスタンド部
３２：前記３０の蓄熱槽
３３：前記３０の容器部
３３１：前記３３の純容器部
３３２：前記３３の導管部
３４：前記３０の開口３
３５：前記３０の排気用逆止弁
３６：前記３０のふた
３７：前記３０の開閉弁
３３３：前記３０の所定量の液体の水
３１１：前記３１の台
３１２：前記３１の支柱
３１３：前記３１の柱梁取合い金物
３１４：前記３１の梁材
３１５：前記３１の掴み金物
３２１：前記３２の容器
３２２：前記３２の断熱材
３２３：熱源
３５１：前記３５の弁体
３５２：前記３５の弁軸
３５３：前記３５のコイルばね
３５４：前記３５の軸受け
３５５：前記３５２が移動可能にするための前記３５４の開口
３５６：前記３５の弁受け材
３５７：前記３５の接続開口
３６０：ふた開口
３６１：ふた本体
３６２：前記３６１に設ける雌ねじ
３６３：前記３３２に設ける雄ねじ
３６４：ガスケット
３６５：ガスケット受け台
３６６：前記３６４に設けるエア抜き穴
３７１：前記３７の弁体
３７２：前記３７の軸受け
３７３：前記３７の操作軸
３７４：前記３７の操作握り手
３７５：前記３０の開口４
【０１２３】
４０：請求項４の実施形態（増設する開閉弁）
４０１：前記４０の弁体
４０２：前記４０の軸受け
４０３：前記４０の操作軸
４０４：前記４０の操作握り手
４０５：前記４０の接続開口
【０１２４】
５０：請求項５の実施形態
５１：前記５０の容器
５２：前記５０の中ふた
５３：前記５０のガスケット部
５３１：前記５３のガスケット
５３２：前記５３１のエア抜き穴
【０１２５】
６０：請求項６の実施形態  ニ面を吸盤とした連結装置
【０１２６】
７０：請求項７の実施形態
７１：コの字金物
７２：緩衝材
７３：緩衝材を裏打ちした支圧板
７４：蝶ねじ
７５：屈曲可能なＬ字型板材
１７：グラス
１８：飲料
【０１２７】
８０：請求項８の実施形態
８１：ガラス枠
８２：ガラス
９１：押棒・引手
９２：外鍵
９３：丁番
９２１：掛け金
９２２：ピン
９２３：受け金
９４：内鍵
９４１：掛け金留め付け材
９４２：掛け金
９４３：受け金
【０１２８】
１０００：請求項１０の実施形態
１０１０：車輪
１０２０：車軸部
１０２１：部材１（車輪受け）
１０２２：前記１０２０の磁石ケース１
１０２３：前記１０２０の全ねじボルト
１０３０：前記１０２０に設ける永久磁石１
１０２４：部材２（車輪スペーサー）
１０４０：前記１０００のストッパー部
１０４１：前記１０４０のブレーキシュー
１０４２：部材３（ストッパー躯体）
１０４３：前記１０４０の磁石ケース２
１０５０：前記１０４０に設ける永久磁石２
１０６０：前記１０００のストッパー操作部
１０６１：前記１０６０の六角ナット
１０６２：前記１０６０の操作軸
１０６３：前記１０６０の操作握り手
【０１２９】
１１０１：前記１０２１に増設するビス座
１１０２：前記１１０１に設けるビス穴
１１０３：部材４
１１０４：前記１１０３に設けるビス穴
１１０５：前記１１０３を前記１１０１に取り付けるビス
１１０６：前記１０２１に増設するコイルばね外れ止め
１１０７：コイルばね
１１０８：前記１０４０に増設するコイルばね外れ止め
１１０９：前記１０４０に増設するナット受け
【０１３０】
１２００：請求項１２の実施形態
１２０１：フック
１２０２：フック受け
【０１３１】
１３００：請求項１３の実施形態
１３０１：有機ＥＬライト
１３０２：電源
１３０３：スイッチ
１３０４：有機ＥＬライトコントローラー
【０１３２】
１４００：請求項１４の実施形態
１４０１：金属材料
１４０２：透明材料のかかりしろ
１４０３：セッティングブロックを兼用するビス座
１４０４：前記１４０３に設けるビス穴
１４０５：透明材料
１４０６：押縁
１４０７：前記１４０６に設けるビス穴
１４０８：前記１４０６を前記１４０１に留めるためのビス
１４０９：エポキシ樹脂充填
【図１】
2014134317.tif 000003
【図２】
2014134317.tif 000004
【図３】
2014134317.tif 000005
【図４】
2014134317.tif 000006
【図５】
2014134317.tif 000007
【図６】
2014134317.tif 000008
【図７】
2014134317.tif 000009
【図８】
2014134317.tif 000010
【図９】
2014134317.tif 000011
【図１０】
2014134317.tif 000012
【図１１】
2014134317.tif 000013
【図１２】
2014134317.tif 000014
【図１３】
2014134317.tif 000015
【図１４】
2014134317.tif 000016
【図１５】
2014134317.tif 000017
【図１６】
2014134317.tif 000018
【図１７】
2014134317.tif 000019
【図１８】
2014134317.tif 000020
【図１９】
2014134317.tif 000021
【図２０】
2014134317.tif 000022
【図２１】
2014134317.tif 000023